(57)【要約】居住家屋等のような建造物の構造用パネルは、２つの金属製表面板間に挟持されると共に金属製フレームにより囲まれたハニカム構造又はその他の細胞状芯材を備えている。このフレームのフレーム部材は、パネルの表面板と共に機械的なインターロック式の結合部を形成している。パネルのサイドフレーム部材は、パネル間にインターロック式接続部を形成するためインターロックする突起部及び溝を画成している。床及び屋根を形成するためにこれらパネルを採用した建造物は、パネル接続部のところでパネルのサイドフレーム部材間にある間隙に延びて入る同サイドフレーム部材に取り付けられるブラケットを含んでいる。これらのブラケットは、パネルを建造物の他の部分に取り付けるために使用されている。
2004521198.tif 000002
【特許請求の範囲】
【請求項１】
建造物の構造用パネルであって、
互いに平行であると共に実質的に平らな一対の対向する表面と、該表面に対してほぼ垂直に該表面間に延びる縁部とを有し、該縁部は、対向する第１及び第２の長手方向縁部並びに対向する第１及び第２の横方向縁部を含んでいる細胞状芯材と、
該芯材の１つの表面に各々が接合されて、該芯材を間に挟持すると共に、各々が対向する長手方向縁部を有している第１及び第２の金属表面板と、
前記芯材の前記第１及び第２の長手方向縁部に沿ってそれぞれ延びる第１及び第２のサイドフレーム部材であって、該サイドフレーム部材の各々が、前記表面板の前記長手方向縁部間に結合されると共に、各サイドフレーム部材の長さに沿って長手方向にそれぞれ延びる凹型溝及び突起部を画成しており、各サイドフレーム部材の凹型溝が、他方のサイドフレーム部材の突起部と整列してパネル厚さ方向に配置される前記第１及び第２のサイドフレーム部材と、
を備えている構造用パネル。
【請求項２】
各サイドフレーム部材は、同サイドフレーム部材の長さに沿って実質的に一定の断面形状を有する構造に形成された金属板から構成されている、請求項１に記載の構造用パネル。
【請求項３】
各サイドフレーム部材は、金属板から構成されると共に、前記表面板のうちの一方の表面板の長手方向縁部にインターロック式に係合する１つの長手方向縁部と、前記表面板のうちの他方の表面板の長手方向縁部にインターロック式に係合する対向長手方向縁部とを有している、請求項１に記載の構造用パネル。
【請求項４】
各サイドフレーム部材の前記長手方向縁部のうちの１つの長手方向縁部と、該１つの長手方向縁部に係合する前記表面板の対応する長手方向縁部とは、向かい合って対峙し互いにインターロック式に係合するフック形状部分として形成されている、請求項３に記載の構造用パネル。
【請求項５】
各サイドフレーム部材の前記対向する長手方向縁部は、前記芯材から離れるように外側に折り返されると共に、対応する表面板の長手方向縁部により形成された内側折り返しのフック形状部分に係合している、請求項４に記載の構造用パネル。
【請求項６】
前記サイドフレーム部材の前記長手方向縁部及び表面板間のインターロック式係合状態は、前記サイドフレーム部材と前記表面板との間の接着が不要であるように形成されている、請求項３に記載の構造用パネル。
【請求項７】
前記芯材の前記横方向縁部に沿ってそれぞれ延びる第１及び第２のエンドフレーム部材を更に備え、前記サイドフレーム部材及び前記エンドフレームは、端部と端部とで接続されて、前記芯材を囲む矩形のフレームを形成している、請求項１に記載の構造用パネル。
【請求項８】
前記芯材を２つの部分に別々に分けるように、前記フレーム部材の２つの間に延びて同フレーム部材に結合される補強部材を更に備えている、請求項７に記載の構造用パネル。
【請求項９】
前記芯材はハニカム材料から構成されている、請求項７に記載の構造用パネル。
【請求項１０】
前記ハニカム材料は樹脂含浸紙から構成されている、請求項９に記載の構造用パネル。
【請求項１１】
各エンドフレーム部材は、同エンドフレーム部材の長さの大部分を通して実質的に一定の断面形状を有する構造に形成された金属板から構成されている、請求項７に記載の構造用パネル。
【請求項１２】
各エンドフレーム部材の長さの前記大部分は、前記金属板の１つの縁部が前記芯材から離れるように外側に折り返された第１フランジ部を形成し、前記金属板の対向縁部が前記芯材に近づくように内側に折り返された第２フランジ部を形成するように、実質的にＺ形の断面形状を有している、請求項１１に記載の構造用パネル。
【請求項１３】
前記第１の表面板の対向する横方向縁部が前記芯材の対応する横方向縁部上に張り出しており、前記エンドフレーム部材のうちの一方のエンドフレーム部材の第１フランジ部が前記第１の表面板の張り出した横方向縁部のうちの一方に結合されると共に、前記エンドフレーム部材のうちの他方のエンドフレーム部材の第１フランジ部が前記第１の表面板の張り出した横方向縁部のうちの他方に結合されている、請求項１２に記載の構造用パネル。
【請求項１４】
前記第１の表面板の前記張り出した横方向縁部の各々は前記芯材に近づくように内側に折り返されてフック部を形成しており、該フック部に、前記エンドフレーム部材の前記第１フランジ部がインターロック式に係合している、請求項１３に記載の構造用パネル。
【請求項１５】
前記エンドフレーム部材の前記第２フランジ部は、前記第２の表面板と共に重ね継手を形成している、請求項１４に記載の構造用パネル。
【請求項１６】
建造物の屋根のための屋根用パネルを含み、前記第１の表面板は、前記屋根の上側表面を形成すると共に、通常の屋根葺き材の形式に似た構造及び外観を有している、請求項１に記載の構造用パネル。
【請求項１７】
前記第１の金属板は、はぜ継ぎに似せるための直立した棟形状の部分を有している、請求項１６に記載の構造用パネル。
【請求項１８】
前記棟形状の部分のうちの２つは、前記芯材から離れるように上側に変形された第１の表面板の２つの長手方向縁部により形成されている、請求項１７に記載の構造用パネル。
【請求項１９】
少なくとも１つの棟形状の部分が前記第１の表面板及び前記芯材の間に中空凹部を画成し、該棟形状の部分の前記凹部に接着剤が詰め込まれており、該接着剤は、前記第１の表面板を前記芯材に接合するために前記芯材の表面全体と前記第１の表面板との間にも置かれている、請求項１７に記載の構造用パネル。
【請求項２０】
２つのパネルがそれぞれのサイドフレーム部材のところで、一方のサイドフレーム部材の突起部を他方のサイドフレーム部材の溝内に十分に挿入させて接続されたときに、前記サイドフレーム部材の対向する部分間に間隙が生じるように、前記サイドフレーム部材の前記突起部は、前記パネルの横方向への長さが同横方向への前記凹型溝の深さよりも長い、請求項１に記載の構造用パネル。
【請求項２１】
前記パネルを建造物の更なる構造に結合するため該パネルとは別個に形成されたブラケットを更に備えて該ブラケットと組み合わせて用いられ、該ブラケットは、前記パネルの前記サイドフレーム部材のうちの一方の対向部分と、隣接するパネルのサイドフレーム部材のうちの一方の対向部分との間の間隙に延入すると共に、前記パネルの前記サイドフレーム部材の前記対向部分に取り付けられるように構成された板部分を有している、請求項２０に記載の構造用パネル。
【請求項２２】
前記ブラケットは、前記パネル及び前記更なる構造部材がある角度で互いに隣接するときに、前記板部分に取り付けられると共に、前記建造物の前記更なる構造部材に取り付けられるように構成された基台部分を更に含んでいる、請求項２１に記載の構造用パネル。
【請求項２３】
前記ブラケットの前記基台部分は、前記ブラケットの前記板部分に対して垂直に接続される基台ウェブと、前記基台ウェブの対向する縁部に接続されると共に前記板部分から離れるように延びる一対の取付フランジ部とを有するＵ字形構造から構成されている、請求項２２に記載の構造用パネル。
【請求項２４】
建造物の構造用パネルであって、
互いに平行であると共に実質的に平らな一対の対向する表面と、該表面に対してほぼ垂直に該表面間に延びる縁部とを有し、該縁部は、対向する第１及び第２の長手方向縁部を含んでいる細胞状芯材と、
該芯材の１つの表面に各々が接合されて、該芯材を間に挟持すると共に、各々が対向する長手方向縁部を有している第１及び第２の金属表面板と、
前記芯材の前記第１及び第２の長手方向縁部に沿ってそれぞれ延びる第１及び第２のサイドフレーム部材であって、該サイドフレーム部材の各々が、同サイドフレーム部材の長さに沿って実質的に一定の断面形状を有するように形成された金属板から構成されると共に、前記表面板の前記長手方向縁部とインターロック式に係合する前記金属板の対向する第１及び第２の長手方向縁部を有している前記第１及び第２のサイドフレーム部材と、
を備えている構造用パネル。
【請求項２５】
各サイドフレーム部材の前記第１の長手方向縁部と、該長手方向縁部に係合する前記表面板の長手方向縁部とは、向かい合って対峙し互いにインターロック式に係合するフック形状部分として形成されている、請求項２４に記載の構造用パネル。
【請求項２６】
各サイドフレーム部材の前記第２の長手方向縁部は、前記芯材から離れるように外側に折り返されると共に、該長手方向縁部に係合する前記表面板の長手方向縁部により形成された内側折り返しのフック形状部分に係合している、請求項２５に記載の構造用パネル。
【請求項２７】
前記両サイドフレーム部材の前記長手方向縁部及び表面板間のインターロック式の係合状態は、前記サイドフレーム部材と前記表面板との間に接着が不要であるように形成されている、請求項２４に記載の構造用パネル。
【請求項２８】
基礎と、
該基礎上に直立する複数の壁と、
該壁上に支持される屋根と、
少なくとも１つの床とを備え、
前記屋根及び床の少なくとも一方は、複数の耐力構造用パネルを備えており、各構造用パネルが、
互いに平行であると共に実質的に平らな一対の対向する表面と、該表面に対してほぼ垂直に該表面間に延びる縁部とを有し、該縁部は、対向する第１及び第２の長手方向縁部並びに対向する第１及び第２の横方向縁部を含んでいる細胞状芯材と、
該芯材の１つの表面に各々が接合されて、該芯材を間に挟持すると共に、各々が前記芯材の前記長手方向縁部と実質的に整列した対向する長手方向縁部を有している第１及び第２の金属表面板と、
前記芯材の前記第１及び第２の長手方向縁部に沿ってそれぞれ延びる第１及び第２のサイドフレーム部材であって、該サイドフレーム部材の各々が、同サイドフレーム部材の長手方向部分に沿って実質的に一定の横断面を有すると共に前記表面板の前記長手方向縁部間に結合されるように形成された金属板から構成されており、一方のサイドフレーム部材が凹型溝を画成し、他方のサイドフレーム部材が突起部を画成し、該凹型溝及び突起部の各々がそれぞれのサイドフレーム部材の前記長手方向部分に沿って長手方向に延びており、前記凹型溝が、前記突起部と整列して前記パネルの厚さ方向に配置されている前記第１及び第２のサイドフレーム部材とを備えており、
前記複数のパネルは、２つの隣接するパネル間に少なくとも１つのインターロック式のパネル接続部を含み、前記パネルのうちの一方のパネルの第１のサイドフレーム部材は、前記サイドフレーム部材のうちの一方のサイドフレーム部材の突起部が他方のサイドフレーム部材の凹型溝に係合することにより、前記パネル接続部のところで、前記パネルのうちの他方のパネルの第２のサイドフレーム部材に結合されている、建造物。
【請求項２９】
前記屋根は、隣接するパネル間の前記少なくとも１つのインターロック式のパネル接続部が前記壁のうちの外側の壁から前記屋根の棟に向かって延びるように方向付けられた前記複数のパネルから構成されており、板部分を有するブラケットは、前記第１及び第２のサイドフレーム部材間に画成された間隙内に延びて入り前記少なくとも１つのインターロック式のパネル接続部を形成しており、該ブラケットの前記板部分は、前記パネル接続部のところで前記サイドフレーム部材のうちの一方のサイドフレーム部材に取り付けられ、前記ブラケットの別の部分は、前記建造物の別の部分に取り付けられている、請求項２８に記載の建造物。
【請求項３０】
前記パネル接続部のところにある前記サイドフレーム部材間の前記間隙は、前記パネルの横方向への前記突起部の長さが同横方向への前記凹型溝の深さよりも長くなるように前記サイドフレーム部材の前記凹型溝及び突起部の大きさを作ることによりもたらされ、それにより前記間隙が前記サイドフレーム部材の対向する部分間に作られている、請求項２９に記載の建造物。
【請求項３１】
前記屋根の各パネルは、前記外側の壁の１つに隣接するパネルの下端部から前記屋根の棟に隣接するパネルの上端部まで連続的な単一のスパンで延びており、前記棟の一方の側にある各パネルの上端部及び前記棟の反対の側にある各パネルの上端部は、前記屋根の各パネルに働く上向き作用力に耐えるため、前記基礎にしっかりと固定された少なくとも１つの垂直な耐張力部材に取り付けられている、請求項２９に記載の建造物。
【請求項３２】
前記少なくとも１つの垂直な耐張力部材は、前記棟の端から端まで延びると共に前記屋根の各パネルの上端部に結合された棟部材に取り付けられている、請求項３１に記載の建造物。
【請求項３３】
前記棟の各側にあるパネルの各々には前記ブラケットの１つが取り付けられており、該ブラケットは、前記パネルの前記上端部から延びると共に前記棟部材に取り付けられている、請求項３２に記載の建造物。
【請求項３４】
前記棟の各側にある複数のパネルに取り付けられると共に前記棟の全長に沿って離れて配置された複数のブラケットがあり、前記棟の一方の側にある各ブラケットが前記棟の反対の側にあるブラケットの１つに取り付けられている、請求項３３に記載の建造物。
【請求項３５】
前記少なくとも１つのパネル接続部のところにあるブラケットは、前記パネルのうちの１つのパネルの１つのサイドフレーム部材に取り付けられて同パネルの下端部の直近に前記パネル接続部を形成すると共に、前記建造物の１つの外側の壁にも取り付けられている、請求項２９に記載の建造物。
【請求項３６】
前記ブラケットは、離間して一対のフランジ部を画成して該フランジ部間に前記壁の上端部を受ける基台部分を有しており、前記ブラケットの該基台部分は、前記フランジ部及び前記壁を通って受け入れられた少なくとも１つの締結具により前記壁に取り付けられている、請求項３５に記載の建造物。
【請求項３７】
前記ブラケットは、少なくとも１つのフランジ部を画成する基台部分を有しており、該基台部分が、前記少なくとも１つのフランジ部及び前記壁を通って受け入れられる少なくとも１つの筒形ボルトにより前記壁に取り付けられている、請求項３５に記載の建造物。
【請求項３８】
前記床は複数のパネルから構成されており、各パネルは、その一端部が１つの壁に取り付けられ、反対側の一端部が前記建造物の反対側の壁に取り付けられている、請求項２８に記載の建造物。
【請求項３９】
床用パネル支持ブラケットが、複数の隣接するパネルの端部に沿って延びるように前記建造物の１つの壁に取り付けられており、前記パネルの前記端部は前記床用パネル支持ブラケットに取り付けられている、請求項３８に記載の建造物。
【請求項４０】
前記床用パネル支持ブラケットは、複数の筒形ボルトにより前記壁に取り付けられている、請求項３９に記載の建造物。
【請求項４１】
前記床用パネル支持ブラケットに取り付けられる各パネルの前記端部は、前記パネルの前記表面板のうち上側の表面板と実質的に同平面にある上向きに突出するフランジ部を画成しており、前記各パネルのフランジ部は、前記床用パネル支持ブラケットに載置されて取り付けられている、請求項３９に記載の建造物。
【請求項４２】
基礎と、
該基礎上に直立する複数の壁と、
該壁上に支持される屋根とを備えており、該屋根は、複数の耐力構造用パネルを備え、各構造用パネルが、互いに平行であると共に実質的に平らな一対の対向する表面と該表面間に延びる第１及び第２の長手方向縁部とを有する細胞状芯材と、該芯材を間に挟持するように該芯材の１つの表面に各々が接合される第１及び第２の金属表面板とを含んでおり、該表面板の各々は、前記芯材の前記長手方向縁部と実質的に整列した対向する長手方向縁部を有しており、前記屋根の各パネルは、前記外側の壁の１つに隣接するパネルの下端部から前記屋根の棟に隣接するパネルの上端部まで連続的な単一のスパンで延びており、前記棟の一方の側にある各パネルの上端部及び前記棟の反対の側にある各パネルの上端部は、前記屋根の各パネルに働く上向き作用力に耐えるため前記基礎にしっかりと固定された少なくとも１つの垂直な耐張力部材に取り付けられている、建造物。
【請求項４３】
前記芯材の前記第１及び第２の長手方向縁部に沿ってそれぞれ延びる第１及び第２のサイドフレーム部材を更に備え、該サイドフレーム部材は、１つのパネルの前記サイドフレーム部材のうちの１つのサイドフレーム部材と隣接するパネルの他のサイドフレーム部材とが同パネルの厚さ方向におけるパネル間の相対運動を実質的に防止するため、同パネル間にインターロック式パネル接続部を形成すべく相補的に構成されている、請求項４２に記載の建造物。
【請求項４４】
前記サイドフレーム部材は、前記パネル接続部のところでインターロックするサイドフレーム部材の対向部分間に間隙が存在するように構成されており、別のパネルと共にパネル接続部を形成する各パネルは、前記構造部材の他の部分に取り付けられる第１部分と前記パネル接続部のところで前記間隙内に延入すると共にパネルのサイドフレーム部材に取り付けられる第２部分とを有するブラケットにより前記建造物の別の部分に取り付けられている、請求項４３に記載の建造物。
【請求項４５】
前記建造物の前記壁は、複数の水平部材に結合された複数の垂直部材を含む複数のロール成形された薄板部材から構成されており、部材間の結合部は、一方の部材に形成されたカラーと別の部材に貫通形成された穴とによって形成されており、前記カラーは、前記穴を通って受け入れられると共に、両部材を互いに締結するように他の部材に向かって曲げられている、請求項４２に記載の建造物。
【発明の詳細な説明】
【技術分野】
【０００１】
本発明は、金属製表面板間に挟持されると共に骨組もしくはフレームにより囲まれた細胞状芯材（ｃｅｌｌｕｌａｒ  ｃｏｒｅ）を有する構造用パネルに関し、また、かかるパネルを採用した建造物に関するものである。
【背景技術】
【０００２】
アメリカ合衆国における残存建造物の圧倒的多数は、今までのところ、互いに釘付けされた多数の木材からなる木製フレームで一般に構成されている。しばしば“木組み（stick)”構造と呼ばれるこの種の構造は、木材の入手が容易であるために現在のところある程度好まれているが、それが一般受けしているのは、実用的な代替物が不足していることにも関係している。木組み構造は、開発が行われてきた別種の構造と比較した木組み構造の欠点が知られているにもかかわらず普及している。例えば、販用構造及びある残存構造において使用が増してきている鉄骨構造は、木製フレーム構造よりももっと強い強度の潜在力があり、腐食又は虫害の影響を受けにくく、木製フレーム構造よりも材料コストが低い。
【０００３】
鉄骨構造のこれらの利点は知られているが、特に残存建築の建設業では、鉄骨構造への切り替えが迅速に行われていなかった。変化に対する建設業の抵抗は、鉄骨構造の経験を有している熟練作業者が不足していることに主として由来している。しかしながら、この抵抗は、鉄骨構造を組み立てる際に生じる高い人件費にも由来している。従来の鉄骨構造は、鉄骨部材を互いに固定するために非常に多くのねじを用いて組み立てられている。ねじを挿入する工程は釘付けよりもずっと遅く、そのため、今までの鉄骨を組み立てるには木製フレームを組み立てるよりも相当時間の掛かるのが一般的である。
【０００４】
本発明は、従来の木組み構造の代替物である建築材料及び建造物に関するものである。先行技術において種々の代替建築材料及び建造技術が開発されてきた。例えば、種々の建造物の建設に使用するため、細胞状芯材及び金属表面板を有する種々の建築パネルが提案されてきた。しかし、今までのところ、居住用家屋のような構造を建設するために、このようなパネルは普及してこなかった。これは、少なくとも部分的に、該パネルを互いに取り付けたり、構造の他の部分に取り付けたりすることが難しいためである。パネル対パネルの取付け及びパネル対構造の取付けは、望ましくは、締結具が表面板を貫通するのを避けるべきである。その理由は、芯材の領域における表面板の貫通により、水が芯材に浸入するのを可能にするからである。
【発明の開示】
【０００５】
［発明の概要］
本発明は、非常に多くのねじ又は締結具を必要とすることなく、比較的に簡単な方法で建造物の組立てを容易にするパネル建造物を提供することにより、伝統的な木組み構造を改良すると共に、鋼製フレーム及び／又は細胞状芯材を有するパネルから建造物を建設する際に関連する前述の問題及びその他の問題を克服しようとするものである。また、このパネル及び建造物は、通常の木製フレームよりも高い強度を実現することもできる。
【０００６】
本発明の一実施例に従ったパネルは、ハニカム材料のような細胞状材料の芯材を備え、この芯材は、その両面の各々に接着される金属表面板を有している。サイドフレーム部材は、芯材の２つの長手方向縁部の各々に沿って、表面板の長手方向縁部間に取り付けられている。当該サイドフレーム部材の各々は、長手方向に延びる突起部を画成すると共に、長手方向に延びる凹型溝も画成している。各サイドフレーム部材の突起部は、パネルの厚さ方向において、他のサイドフレーム部材の凹型溝と整列している。従って、２つのパネルは、一方のパネルの１つのサイドフレーム部材を他方のパネルのサイドフレーム部材に対向させて配置することができ、また、各サイドフレーム部材の突起部は、他のサイドフレーム部材の凹型溝内に挿入することができ、こうしてパネル間にインターロック式のパネル接続部を形成することになる。インターロックするサイドフレーム部材は、少なくとも厚さ方向におけるパネル間の相対運動を防止するものである。突起部及び凹型溝は、パネルの長手方向の実質的に全長に沿って延びていることが好ましい。製造の都合上、サイドフレーム部材は薄板の曲げ成形により形成するのが好ましい。
【０００７】
好適な実施例において、パネルの表面板及びサイドフレーム部材は、インターロック式の結合部を形成している。これは、サイドフレーム部材の縁部及び表面板の隣接する縁部を形成することによって好適に実現され、同縁部の少なくとも１つがフック形状にされて他方の縁部に係合するようになっている。
【０００８】
また、パネルは、芯材の横方向に延びる縁部に沿って延びると共に、サイドフレーム部材の端部間に取り付けられて芯材を囲むフレームを形成するエンドフレーム部材を含んでいることが好ましい。該エンドフレーム部材もまた、表面板のうちの少なくとも１つと共にインターロック式の結合部を形成することができる。各エンドフレーム部材は、パネルを建造物に取り付けるために芯材の横方向縁部を越えて延びる外方突出のフランジ部を画成していることが好ましい。このパネルは、フレーム部材のうちの２つの間に取り付けられて芯材を２つの別々の部分に分ける追加の補強部材を含むこともできる。エンドフレーム部材及び補強部材は、ロール成形された金属薄板部材から構成するのが有利である。
【０００９】
一実施例において、パネルは、建造物の屋根のための屋根用パネルを含んでおり、１つの表面板は、屋根の上側表面を形成すると共に、通常の屋根葺き材料に似た構成及び外見を有している。上側の表面板は、例えば、屋根板の外見に似せて構成することができる。或いは、上側の表面板は、通常の金属屋根に見られるようなはぜ継ぎに似せるため、直立した棟状部分を有することができる。この実施例におけるパネルは、表面板と芯材との間に中空の凹部を画成する少なくとも１つの棟形状部を含んでいる。この棟形状部の凹部には接着剤を詰めておくことが好ましく、また、接着剤は、表面板を芯材に接合するため表面板及び芯材の全表面間にも入れておくことが好ましい。棟形状部の凹部に接着剤を詰め込んでおくことにより、表面板と芯材との間に連続的に存在する接着剤層が表面板の棟形状部で中断されることがなくなる。
【００１０】
本発明の好適な実施例において、サイドフレーム部材の突起部は、パネルの横方向への長さが同横方向への凹型溝の深さよりも長くなっている。従って、２つのパネルが、一方のサイドフレーム部材の突起部を他方のサイドフレーム部材の凹型溝内に十分に挿入させて、それらの各サイドフレーム部材のところで接合された場合、同サイドフレーム部材の対向部分間に間隙が存在している。ブラケットの一部は、この間隙に挿入可能であると共に、一方のパネルのサイドフレーム部材に取り付けることができ、パネル接続部から突き出るブラケットの別の部分は、建造物の別の部分に取り付けることができ、その結果、パネルが建造物に取り付けられることになる。このようなブラケットを使用して、屋根用パネルを壁に取り付けたり、或いはパネルの上側端部を互いに取り付けると共に屋根の棟のところで棟部材に取り付けることができる。従って、ブラケットは、締結具がパネルの表面板を貫通することなく、パネルを建造物に取り付けることが可能になる。
【００１１】
本発明の好適な一実施例に従った建造物は、複数のパネルから構成された屋根を有しており、該パネルは、隣接するパネル間にある少なくとも１つのインターロック式パネルの接続部が壁のうちの外側にあるものから屋根の棟に向かって延びるように方向付けられている。板部分を有するブラケットは、サイドフレーム部材間に画成された間隙内に延入して少なくとも１つのインターロック式のパネル接続部を形成しており、ブラケットのこの板部分は、パネル接続部のところでサイドフレーム部材の１つに取り付けられている。ブラケットの別の部分は建造物の別の部分に取り付けられている。
【００１２】
屋根の各パネルは、外壁の１つに隣接するパネルの下端部から屋根の棟に隣接するパネルの上端部まで連続的な単一スパンで延びていることが好ましく、また、棟の一方の側にあるパネルの上端部と棟の反対の側にあるパネルの上端部とは、屋根のパネルに働く上向き作用力に耐えるため基礎にしっかりと固定される少なくとも１つの垂直な耐張力部材に取り付けられているのが好ましい。垂直な耐張力部材は、室内側の耐力壁か、或いは屋根の棟の真下に離間して配置された一連の垂直支柱から構成することができる。垂直な耐張力部材は、棟の全長にわたり延びると共に屋根の各パネルの上端部に結合される棟部材に取り付けられているのが好ましい。これらのパネルは、パネル接続部から突き出るブラケットにより棟部材に結合されている。
【００１３】
下端部が外壁に隣接する屋根用パネルは、隣接するパネル間の間隙にあるサイドフレーム部材に取り付けられる更なるブラケットによって、この外壁に取り付けられることになる。各ブラケットは、少なくとも１つのフランジ部を画成する基台部分を有しており、該基台部分が壁に取り付けられ、各ブラケットは、一対のフランジ部を有するのが好ましく、該フランジ部間に壁を受け入れている。基台部分は、フランジ部及び壁を通り受けられる少なくとも１つの締結具によって壁に取り付けられることになる。この締結具は、筒形ボルトであることが好ましい。筒形ボルトが通常のねじよりもよい理由は、唯一つの筒形ボルトで複数のねじに匹敵する接続強度を付与し、従って、建造物を組み立てる際に取り付けねばならない締結具の数を減少させ得るからである。
【００１４】
本発明の別の実施例において、建造物の床は複数のパネルから構成されており、各パネルは、その一端部が一つの壁に取り付けられ、反対側の端部が建造物の反対側の壁に取り付けられている。床用パネル支持ブラケットは、複数の隣接するパネルの端部に沿って延びるように建造物の１つの壁に取り付けられており、パネルの端部は、床用パネル支持ブラケットに取り付けられている。床は、多層建造物の上階床とすることができ、床用パネル支持ブラケットが床に作用する荷重を支えることになる。床用パネル支持ブラケットは複数の筒形ボルトにより壁に取り付けるのが好適である。
【００１５】
床用パネル支持ブラケットに取り付けられる各パネルの端部は、パネルの表面板のうちの上側表面板と実質的に同一平面上にある上向き突出のフランジ部を画成していることが好ましく、また、各パネルのフランジ部は、床用パネル支持ブラケット上に置かれそこに取り付けられるのが好ましい。或いは、パネルの下側表面は、床用パネル支持ブラケットの棚部に載置しそこに取り付けてもよい。
【００１６】
本発明の別の側面によると、建造物の壁は、複数の水平部材に結合された複数の垂直部材を含むロール成形された複数の金属薄板部材から構成されており、部材間の結合部は、１つの部材に形成されたカラーと、もう１つの部材に貫通形成された穴とにより形成されており、カラーは、両部材を互いに締め付けるように、穴に通して受け入れられると共にもう１つの部材に向かい曲げられている。壁は、予め製作され作業現場に搬送される部分品として形成することができ、これら壁の部分品は、建造物の基本フレームを形成するため作業現場で互いに取り付けることができる。フレーム部分品の相互間の取付けは、壁の部分品の隣接部材に前もって形成された穴に筒形ボルトを挿通することにより行うことができる。
【００１７】
従って、本発明は、作業現場で容易に且つ迅速に組み立てることができるパネル及び建造物を提供するものである。建造物の諸構成要素のうち多くは、工場で前もって製作しておくことができるので、これら構成要素の偏平度、直角度及び寸法精度は厳密に管理することができ、寸法的に精確で、正方形であって、垂直な建造物の組立てを容易にする。また、本発明の建造物は、高い強度を有しており、従って、特に強風に対する抵抗力の点で現場組立ての建造物よりもはるかに優る利点をもたらすことができる。
【００１８】
本発明の上述した目的、特徴及び利点並びにその他の目的、特徴及び利点は、添付図面に関連して説明されている幾つかの好適な実施例に関する以下の記載からより明らかとなろう。
【発明を実施するための最良の形態】
【００１９】
以下に、本発明の好適な実施例が記載されている添付図面を参照して、本発明についてもっと十分に説明する。しかし，本発明は種々の異なる形態で実施可能であり、図面に示した実施例に限定されると考えるべきではない。むしろ、これらの実施例は、この開示を徹底し且つ完全にするように提案されており、本発明の範囲を当業者に十分に知らせるものである。同様の数字は全体を通して同一要素を示している。
【００２０】
図１は、本発明の好適な一実施例に従った建造物３０を表している。この建造物３０は、コンクリート製等の基礎３２を含んでいる。第１の外壁３４及び対向する第２の外壁３６を含む複数の壁体は、基礎３２に直立してしっかりと固定されている。言うまでもなく、外壁による閉じた外周部を形成するため、壁３４，３６に接続される少なくとも２つの追加の外壁（図示せず）がまた存在するのが普通である。これらの外壁は、耐力壁を構成している。また、建造物３０は、外壁による外周部によって閉ざされた空間を幾つかの部屋に小分けするため、複数の内壁を含んでおり、そのうちの１つの内壁３８が図示されている。この内壁３８は耐力壁であり、その他の内壁（図示せず）は、特定の建造物に応じて、耐力壁にしても非耐力壁にしてもよい。
【００２１】
建造物３０は、２階建てであり、上側床４０が下階を上階から隔てている。この上側床４０は、耐力壁３４，３６，３８に取り付けられ、支持されている。図示の建造物において、下階の床は基礎３２により形成されている。しかし、本発明は、下階の下方に地下室又は狭い空間が存在している建造物にも適用可能であり、その場合、下側床は、上側床４０と同様に、耐力壁に取り付けられ、支持され得るようになっている。
【００２２】
建造物３０は、耐力壁３４，３６，３８により支持された屋根４２を有している。また、この建造物は、その両側に、第１のサイドベランダ用屋根４４及び第２のサイドベランダ用屋根４６を有している。垂直支持柱４８は、サイドベランダ用屋根に対してその外側端部のところでの支持を提供するものである。
【００２３】
本発明によると、床４０、屋根４２及びサイドベランダ用屋根４４，４６は、複数の細胞状芯材式パネルから形成されている。床用パネル５０は図２〜図４に記載されている。図２は、フレーム部材の中央部分を省いて部分的に破断し、床用パネルのフレーム５２を示しているが、その理由は、当該フレーム部材が種々の寸法のパネルを形成するために種々の長さのものとすることができるからである。フレーム５２は、一対の対峙するサイドフレーム部材５４，５６と、一対の対峙するエンドフレーム部材５８，６０とから、それらの端部と端部を接続して矩形のフレームを構成するように形成されている。サイドフレーム部材及びエンドフレーム部材の各々は薄板素材から構成されており、これをロール曲げして、フレーム部材の長さの大部分に沿って実質的に一定の断面形状を薄板素材に与えるのが有利である。以下に更に説明するように、サイドフレーム部材及びエンドフレーム部材の特定の形状は、パネルの端部と端部を互いに結合すると共に、パネルを建造物３０の他の部分に取り付けるのを容易にするように設計されている。
【００２４】
図３及び図４は、パネルの長手方向軸線及び横方向軸線の各々に垂直な平面における床用パネル５０の断面図をそれぞれ示している。サイドフレーム部材５４，５６は、パネル５０の長手方向軸線に平行な方向に長く延びており、エンドフレーム部材５８，６０は、このパネルの横方向軸線に平行な方向に長く延びている。パネル５０は、下側表面板６２及び上側表面板６４を含んでおり、各表面板は金属板から構成されている。フレーム５２及び表面板６２，６４は鋼で形成されるのが好ましく、亜鉛メッキ鋼で形成されるのが更に好ましい。表面板６２，６４は、細胞状芯材６６の両面に接着により接合される。一旦硬化されると、ハニカム芯材式パネルは、その長手方向軸線及び横方向軸線を中心とする曲げに際して高度の剛性を有すると共に、芯材６６の厚さ方向に高い圧縮強さを有している。芯材６６は、好ましくはフェノール樹脂である熱硬化樹脂を含浸させたクラフト紙等で形成されたハニカム材料から構成されるのが好ましい。この樹脂は、ハニカム材料の重量で約１５％であることが好ましい。ハニカム構造のセルは、セルをその一方の側から反対の側まで横断する方向に測定して約５／８インチ（約１．５センチメートル）の寸法を有する六角形である。適当なハニカム材料はヘキサコム(Hexacomb)という名称でイリノイ州シカゴ所在のパクティブ(Pactiv)から入手し得る。或いは、芯材６６には、その他の形式のハニカム材料又は、多分、硬質フォームを含め、他の形式の細胞状材料を使用することができる。表面板６２，６４を芯材６６に接合するための適当な接着剤は、ノースカロライナ州ヒッコリー所在のテイラード・ケミカルズ(Tailored Chemicals)又はノースカロライナ州ダラム所在のライヒホルド・ケミカルズ・インコーポレイテッド（Reichhold Chemicals, Inc.)から入手し得るポリウレタン系接着剤のようなポリウレタンタイプの接着剤である。表面板及び芯材間の接着結合は、表面板を芯材に圧接しながらその組合せ全体を華氏約１２５度まで加熱することにより行われている。
【００２５】
フレーム５２のサイドフレーム部材及びエンドフレーム部材は、芯材６６の長手方向及び横方向縁部をぴったりと囲んでいる。これらフレーム部材は、表面板６２，６４とインターロックすることにより所定位置に固定されている。特に、サイドフレーム部材５４，５６の長手方向縁部の各々は、外側に曲げられて芯材６６から離れると共に、隣接する表面板６２，６４の長手方向縁部により形成された内向きフック形状部に係合されている。サイドフレーム部材５４，５６の上側縁部は、同様に外側に曲げられ芯材から離れてフランジ部６８を形成し、該フランジ部が上側表面板６４の横方向縁部により形成された内向きフック形状部に係合されている。これらのフレーム部材に対する表面板の機械的なインターロックは、該フレーム部材及び表面板間の接続部に接着結合のないことを可能とし、そのため長期にわたり完全な状態を有する効果的な金属対金属の接着接合をもたらすという問題を未然に防止するものである。また、このインターロック結合は、きれいな外見をもつ平滑な縁部も提供するものである。エンドフレーム部材５８，６０の下側縁部は、芯材に向かい内側に曲げられると共に、そのだぼ継ぎ部（ｊｏｇｇｌｅｄ  ｐｏｒｔｉｏｎ）で下側の表面板６２と重なり合っている。エンドフレーム部材の各々は、その各端部のところにエンドタブ６９（図２）を有しており、このエンドタブが例えばねじ等による適当な方法で隣接のサイドフレーム部材５４，５６に取り付けられるようになっている。
【００２６】
サイドフレーム部材５４，５６は、パネル５０間にインターロック接続部が形成できるような断面形状に作られている。特に、サイドフレーム部材５４は、長手方向に延びる突起部７０を有するように形成されており、この突起部は、サイドフレーム部材の実質的に全長にわたり延在すると共に、上側表面板６４に近接配置されている。また、サイドフレーム部材５４は、長手方向に延びる凹型溝７２を有するように形成されており、この凹型溝は、サイドフレーム部材の実質的に全長にわたり延在すると共に、下側表面板６２に近接配置されている。反対側のサイドフレーム部材５６は、パネルの厚さ方向においてサイドフレーム部材５４の突起部７０に整列された長手方向に延在する凹型溝７４と、同厚さ方向においてサイドフレーム部材５４の凹型溝７２に整列された長手方向に延在する突起部７６とを有している。従って、図３に示すように、１つのパネル５０をもう１つのパネル５０に隣接して配置することができると共に、突起部７０，７６が各凹型溝７２，７４に係合するようにこれらパネルを滑動させることができ、それにより、インターロックするパネル接続部が形成されることになる。サイドフレーム部材５４，５６間のこのようなインターロック式係合は、少なくともパネルの厚さ方向における同パネル間の相対運動を実質的に防止するものである。
【００２７】
突起部７０，７６及び凹型溝７２，７４は、突起部が横方向における凹型溝の深さよりも横方向（即ち、図３において左側から右側への方向）に長くなるように形成されていることが好ましい。従って、突起部が各凹型溝に十分に係合したときに、サイドフレーム部材５４及び５６の対向する中央部分間に間隙７８が存在することになる。この間隙７８は、以下で更に説明するように、ブラケットをパネル間に挿入してサイドフレーム部材の１つに取り付けることを可能とし、これらパネルを建造物の他の部分に取り付けることを容易にしている。
【００２８】
パネル５０は、フレーム５２を下側表面板６２に組み付け、適当な接着剤を下側表面板６２の上側表面に塗布し、芯材６６をフレーム内に入れて接着剤で被覆された下側の表面板６２の上に置き、次いで接着剤を上側表面板６４の下側表面に塗布し、この上側表面板を芯材６６の上に置くことによって、製作されている。組立てのこの段階でサイドフレーム部材５４，５６の隣接する縁部を包んで各凹型溝７２，７４に入る各表面板の長手方向縁部は、表面板に対して垂直であり、上側表面板６４の横方向縁部は、未だエンドフレーム部材５８，６０の上側縁部を包んでいない。組立体は、表面板が互いの方に向かうよう厚さ方向に圧縮の圧力を受けると同時に、接着剤を硬化させるため適当な温度で十分な時間加熱される。この加圧及び硬化工程の後、これら表面板の長手方向縁部は曲げられ、サイドフレーム部材の縁部の周りに折り返されて凹型溝７２，７４に入り、上側表面板６４の横方向縁部は曲げられ、エンドフレーム部材５８，６０の上側縁部の周りに折り返されることになる。
【００２９】
前述したように、図１における建造物３０の上側床４０は、複数の床用パネル５０から構成されていて、これらは、隣り合って置かれると共に、パネルの長手方向縁部間にあってインターロックするパネル接続部により互いに結合されている。推定される非常に長いパネル５０（例えば、約２５フィート（約７，５メートル）以上）の場合を除いて、パネル５０は、それらの端部を建造物の耐力壁に取り付けることによって、それらの端部のところだけで支持されるのが好ましい。例えば、図５は、建造物の外壁３４に対するパネル５０の一端の取り付けについて示している。Ｃ形の断面形状を有するパネル支持ブラケット８０は、適当な締結具により外壁３４に取り付けられている。このパネル支持ブラケット８０は、同ブラケットが並置された複数のパネル５０の端部に沿って連続的に延びるような図５における紙面に垂直な方向の長さを有しており、従って、ブラケット８０の長さはパネル幅の整数倍に実質的に等しい。好ましいのは、以下に更に説明する筒形ボルト８２が、ブラケットの長さに沿って規則正しい間隔でブラケット８０を貫いて延びると共に、外壁に前もって形成された穴にねじ込まれることである。通常、外壁３４は、同外壁に沿って中心から代表的には１６インチ離間した一連の垂直間柱８４を含んでおり、筒形ボルト８２のための穴は、間柱毎に又は間柱８４のうちの選択されたものに形成されている。例えば、筒形ボルト８２は、同筒形ボルトが中心から約４フィート離間しているように、３本の間柱８４毎にねじ込むことができる。パネル支持ブラケット８０は、パネル５０のフランジ部６８が載置される上側フランジ部を画成している。パネルのフランジ部６８をブラケット８０に取り付けるために適当な締結具８６が用いられる。当該締結具８６は、例えば、自己穿孔ねじとすることができる。パネル支持ブラケット８０はまた、パネル５０の下側表面板６２と同高の下側フランジ部を画成している。
【００３０】
図６は、パネル支持ブラケット８０’が下側表面板６２のレベルよりも下方に垂直に離間した下側フランジ部を有している本発明の別の実施例を示すものである。電気ケーブル８８は、ブラケット８０’により形成された溝中に設置されてもよい。必要なら、ブラケット８０’の下側フランジ部の助成下に吊り天井９０を取り付けてもよい。
【００３１】
図５及び図６における外壁３４は、垂直の間柱８４が基礎３２から上に向かって屋根４２（図１）まで連続的に延びる“バルーン（balloon)”構造を構成している。図７は、対照的に、一組の壁部分が下階のために作られ、別の一組の壁部分が上階のために作られると共に、上階の壁部分が下階の壁部分上に建設される“プラットフォーム”構造の実施例を示している。従って、下階の壁は複数の垂直間柱８４ａを含み、上階の壁は下階の間柱に整列する複数の垂直間柱８４ｂを含んでいる。この実施例において、下階の間柱８４ａ及び上階の間柱８４ｂの間の合わせ目にまたがる一対の金属板９２が間柱の室内面及び室外面上に配置され、筒形ボルト８２が室内側の金属板９２及び間柱を通り抜けると共に、室外側の金属板９２を貫いて螺着されている。筒形ボルト８２のうちの下側のものは、床用パネル５０を支持するために水平脚部９４を有するＬ形のパネル支持ブラケット８０”も貫いて延びている。筒形ボルト８２は、例えば中心から約４フィート離れるように、パネル支持ブラケット８０”の長さに沿って規則正しい間隔で離間されている。床用パネル５０は、それらの下面をパネル支持ブラケットの水平脚部９４上に置いており、締結具８６は、この脚部９４を貫いてパネルのエンドフレーム部材５８の内側に折り返された下側フランジ部９６に入り、螺着されている。
【００３２】
図８は、筒形ボルト８２を詳細に示している。この筒形ボルトは、中空の円筒形金属製本体を備えており、その一端は、半径方向外方に延びるフランジ部もしくは頭部９８を有している。該本体の他端は、一連のねじ山１００を画成している。筒形ボルト８２の頭部端は、駆動工具（図示せず）を受けるスロット１０２を有している。筒形ボルトは高度の強さを有しており、従って、単一の筒形ボルトが従来の複数のねじに取って代わることはできる。
【００３３】
これまでは、外壁３４への床用パネル５０の取付けについて説明してきた。パネルの対峙する端部が図１に示した壁３８のような耐力内壁に取り付けられるのが一般的である。パネル５０及び内壁３８間の結合部は図９に記載されている。ハット形の断面を有する細長いパネル支持ブラケット１０４は、内壁３８の上側端部に取り付けられると共に、内壁３８の両側上に一対の棚部を画成している。内壁３８のどちらの側にもある床用パネル５０は、これらの棚部上に載置されており、外方へ突出する各パネルのフランジ部６８は、パネル支持ブラケット１０４の高くなった部分に載置されると共に、締結具８６により当該ブラケットに取り付けられている。
【００３４】
前述したように、図１の建造物の屋根４２は、図１１に関連して以下に説明する点を除いて床用パネル５０とほぼ同様である複数の屋根用パネル５０’から構成されている。屋根用パネル５０’は、床用パネル５０と同様の方法で互いにインターロックすると共に、パネル間のインターロック式パネル接続部が外壁３４，３６から屋根の棟に向かう方向に延びるように方向付けられている。各屋根用パネル５０’は、外壁の１つから棟まで連続的な単一スパンで延びている。次に、屋根用パネル間の結合部について図１０を参照して説明するが、これは、棟の連続している方向に沿って見た図であって、棟の両側にある一対の屋根用パネル５０’を示している。鋼等の梁１０６は、棟の長さに沿って延びると共に、内壁３８（図１）の構造の一部を形成する一連の離間した垂直支柱１０８に取り付けられている。各支柱１０８は、Ｃ形断面の一対の部材１１０から構成されているのが好ましく、当該部材１１０は、その開放端を互いの方に臨ませて、該部材の双方を貫いて延びる筒形ボルト（図示せず）により互いに取り付けられている。支柱１０８の下端部は、同支柱が圧縮及び引張荷重の双方に耐えることができるように、基礎３２（図１）にしっかりと固定されている。鋼製の梁１０６は、棟の両側にあるパネル５０’間の角度に一致する角度の断面を有する棟部材１１２に溶接されるか、或いはその他の手段で剛結的に取り付けられている。図示の実施例において、屋根は１２対１２の勾配（12-12 pitch)を有しており（即ち、屋根は水平に対して４５度で傾斜している）、従って、棟部材１１２は直角断面を形成している。棟部材１１２は、棟の全長にわたり延びている。棟の各側にあるパネル５０’の上端部は棟部材１１２上に載置されている。
【００３５】
棟の一方の側におけるパネル５０’間の各インターロック式接続部は、棟の他方の側におけるパネル接続部に整列している。棟の両側にある一対の整列したパネルは、一対のパネル棟用ブラケット１１４によって、互いに接続されていると共に、棟部材１１２に接続される。パネル棟用ブラケット１１４の一方は、棟の一方の側における２つの隣接パネル５０’のサイドフレーム部材５４，５６（図３）間の間隙７８に延入すると共に、両パネルの１つのサイドフレーム部材に取り付けられている。棟の他方の側における他方のパネル棟用ブラケット１１４は、他方の側にあるパネルに同様に取り付けられる。これらのブラケット１１４は、パネルのほぼ長手方向にパネル接続部から突出していると共に、屋根の棟のところで互いに重複し交わる部分を有している。ねじ（図示せず）は、ブラケット１１４の重複部分を突き通ると共に、垂直に方向付けられた鋼鈑１１６もまた突き通っている。この鋼鈑は、棟部材１１２に向かって下向きに延びる懸垂部を有している。ねじを切ったアンカーボルト１１８が棟部材１１２を貫いて垂直上方に延び、ナット１２０がこのアンカーボルトの下端部に螺合している。ワッシャ１２２が棟部材を上向きに突き通るアンカーボルト１１８の部分に配置されており、ナット１２４がこのボルトの上端部に螺合している。アンカーボルト１１８の上端部は、パネルブラケット１１４に接続された鋼鈑１１６に溶接されている。図１０に示した結合構造は、棟に沿った各パネル接続部のところで使用されている。こうして、屋根用パネル５０’は棟部材１１２に結合され、垂直の支柱１０８に結合されることになる。このようにして、パネル５０’の上端部は圧縮及び引張の双方における当該支柱によって支持されることになる。支柱１１８に作用する引張荷重は、強風の間に屋根用パネル５０’に働く空気力学的な荷重により主として生ずるものである。
【００３６】
棟の全長にわたり延びる棟覆い１２６は、パネル結合構造を覆うと共に、屋根用パネルに適当に取り付けられている。屋根用パネルの据付け後、パネルの下側表面は、断熱板１２８又は石膏ボードのような適当な材料により覆われている。
【００３７】
屋根パネル５０’は図１１に詳細に描かれている。この屋根パネル５０’は、上側表面板６４’に関してのみ、前述した床用パネル５０と異なっている。上側表面板６４’は、その対向する長手方向縁部のところに、水がパネル接続部内に浸透するのを妨げる結合部を隣接するパネル間に提供する機構を画成している。この目的のため、表面板６４’の長手方向縁部の１つは、逆Ｌ字形状の突起部１３０を画成するように形成されている。表面板の反対側の長手方向縁部は、逆Ｕ字形状の突起部１３２を画成するように形成されている。逆Ｕ字形状の突起部１３２の水平部は、逆Ｌ字形状の突起部１３０の水平部よりも若干幅広である。２つの屋根用パネル５０’がそれらの長手方向縁部に沿って接続されたときに、１つのパネルの逆Ｌ字形状の突起部１３０は、隣接のパネルの逆Ｕ字形状の突起部１３２により覆われることになる。２つの突起部は、こうして、水がパネル接続部に入るのを妨げるラビリンス式の通路を有するはぜ継ぎ（standing seam)を形成している。必要ならば、水がパネル接続部に浸透しないように更に確実にするため、ブチルゴム製等のシール片１３４を逆Ｕ字形状の突起部１３２と逆Ｌ字形状の突起部１３０との間に設けることができる。
【００３８】
また、屋根パネル５０’は、はぜ継ぎにより互いに接続される比較的に多い数の比較的に狭い金属板を有しているのが一般的な従来の金属屋根の外見に似せるために、１つ以上の擬似はぜ継ぎ１３６も含むことができる。対照的に、屋根用パネル５０’は、屋根金属板よりも、例えば４フィート実質的に幅広であるのが通常であり、従って、擬似はぜ継ぎ１３６は通常の金属屋根の外見を与えることになる。擬似はぜ継ぎ１３６は、逆Ｕ字形部分を形成するように上側表面板６４’を変形させることによって形成されている。従って、擬似はぜ継ぎ１３６には凹部が画成されている。上側表面板と芯材６６との間に連続的な接着接合を維持するために、この凹部には、表面板６４’を芯材６６に接着するのに使用した接着剤と同様の接着剤を満たしておくのが好ましい。
【００３９】
次に、屋根用パネル５０’及び外壁３４，３６間の結合について、図１２〜図１４を参照して説明する。図１２は、パネルの長手方向軸線に平行な垂直平面上での断面図であって、壁３６に対する屋根用パネルの結合を示しており、他方の壁３４に対する結合が同一であることは言うまでもない。パネル接続部の各々のところで壁３６の上端部に取り付けられているのは、パネルブラケット１４０である。このパネルブラケット１４０は、少なくとも１つの垂直フランジ部１４２を画成する基台部分を有しており、当該フランジ部は、壁３６の室内面又は室外面に当接して配置されていると共に、少なくとも１つの筒形ボルト８２により壁に固定されている。図示の実施例において、ブラケット１４０は、壁３６の室内面及び室外面の双方に当接して配置される１対の離間したフランジ部１４２を有しており、少なくとも１つの筒形ボルト４２がフランジ部１４２の双方を通って延びている。図１４は、２つの筒形ボルトを受けるためのブラケット１４０の変形例を示している。
【００４０】
このブラケット１４０は、壁３６の上に置かれる水平基台ウェブ１４４を有している。垂直の板部分１４６は、基台ウェブ１４４に溶接されるか、或いは基台ウェブ１４４と一体に形成されている。板部分１４６は、上向きに延びて、２つの隣接する屋根用パネル５０’のサイドフレーム部材５４，５６間の間隙７８（図３）に入ると共に、該パネルのうちの一方のサイドフレーム部材５６に取り付けられている。板部分１４６が上向きに延びてサイドフレーム部材間の間隙に入るのを可能にするため、パネル５０’の製作中に、サイドフレーム部材５６の突起部７６のある長さ方向部分が切り欠かれている。
【００４１】
図１の建造物は、ベランダ屋根４４，４６により覆われた一対のサイドベランダもまた含んでいる。図１５は、ベランダ屋根４６の屋根用パネルと外壁３６との間の結合部を示しており、同じ形式の結合部がベランダ屋根４４と外壁３４との間にも形成されることは言うまでもない。壁３６の室外面には、一対の筒形ボルト８２によりブラケット１５０が取り付けられている。このブラケット１５０に溶接されるか、或いはブラケット１５０と一体に形成されているのは、壁３６から外側に突出する垂直タブ部分１５２である。ブラケット板１５４は、パネル接続部の間隙に挿入されると共に、パネル５０’のうちの１つのパネルのサイドフレーム部材に取り付けられて、接続部を形成している。ブラケット板１５４の一部分は、壁に向かってパネル接続部から突出すると共に、締結具（図示せず）によってタブ部分１５２に取り付けられている。
【００４２】
ベランダの屋根用パネル５０’の外側端部は、垂直支柱４８によって支持されている。図１６は、パネル及び支柱間の結合部を示している。鋼製の梁１６０は、支柱４８上に支持されていると共に、引張荷重を支持するため支柱を貫いて下方に延びる控え棒１６２等により基礎にしっかりと固定されるのが好ましい。ブラケット１６４は、梁１６０に溶接されるか或いはその他の手段により剛結的に取り付けられると共に、そこから上方に延びて、２つのパネル間のパネル接続部のところで同パネルのサイドフレーム部材間の間隙に入るようになっている。ブラケット１６４は、これらパネルのうちの１つのパネルのサイドフレーム部材に取り付けられている。ブラケット１６４は各パネル接続部のところにある。
【００４３】
図１の建造物の壁は、複数の水平部材に結合される複数の垂直部材を含む鋼製のフレーム部材から形成されているのが好ましい。フレーム部材は、好ましくは亜鉛めっきされたロール成形の薄板から形成されている。図１７は、建物の角で互いに結合された建造物の２つの壁フレーム部分を示している。各壁フレーム部分は、離れて配置された一連の垂直間柱８４を備えており、該間柱は、その両端部で少なくとも底部水平部材１６６と頂部水平部材１６８とに結合されている。追加の水平及び／又は斜めの控え部材（図示せず）が含まれていてもよい。各壁部分のフレーム部材間の結合は、米国特許第５,８３９,８４８号に従って実施されるのが好ましく、その全開示内容は、参照によりこの明細書に組み込まれる。図１８は、結合部の詳細を示している。間柱８４は、Ｃ字形状の溝断面を備えており、この溝断面の対向する部分の各々に穴１７０が予め形成されている。トラック又はプレートとして通常知られている水平部材１６８もまた、Ｕ字形状の溝断面を備えており、この溝断面の対向する部分の各々に穴１７２が予め形成されていると共に、この溝断面の対向する部分の各々に各穴１７２を囲むカラー１７４が予め形成されている。これらのカラー１７４は、間柱８４にある穴１７０を貫通すると共に、カラーを曲げて間柱８４の対向する部分に被せるように工具（図示せず）により変形され、それにより２つのフレーム部材８４，１６８が互いに取り付けられることになる。
【００４４】
壁フレーム部分は、予め組み立てられた上で、作業現場に運ばれることが好ましく、そこで該フレーム部分は互いに取り付けられて建造物の壁を形成している。壁部分は、図１７に示すように、筒形ボルト８２により互いに接続されている。作業現場での建造物の組立ては、比較的に少ない数の締結具により短時間で行うことができ、何ら特別の技能を必要としない。
【００４５】
前述した記載及び関連の図面により提供された教示により恩恵を受ける当業者は、本発明の種々の改変及びその他の実施例に想到するであろう。例えば、パネル５０，５０’は、パネ屋根レーム５２の２つの対向する屋根レーム部材間に結合される１つ以上の補強部材を有することができ、その結果、補強部材の長手方向に垂直な軸線回りのパネルの曲げ剛性が強くなる。この場合、芯材６６は、補強部材により２つ以上の別々の部分に分割されることになる。更に、パネル５０，５０’は、突起部及び溝をそれぞれ画成するサイドフレーム部材５４，５６を有しているが、代わりに、一方のサイドフレーム部材が突起部のみを画成し、他方のサイドフレーム部材がこの突起部と整列した溝のみを画成するようにしてもよい。従って、言うまでもなく、本発明は、開示した特定の実施例に限定されるものではなく、その他の改変及び実施例も冒頭の特許請求の範囲内に包含されることが企図されている。本明細書において特定の用語が用いられているが、これらの用語は、一般的かつ説明的な意味で使用されており、限定のために用いられているのではない。
【図面の簡単な説明】
【００４６】
【図１】本発明の好適な実施例に従った建造物の概略正面図である。
【図２】本発明の好適な実施例に従った構造用パネルの骨組の斜視図である。
【図３】本発明に従った構造床用パネルの概略斜視図であり、パネルの１つの長手方向縁部のところにインターロック式パネル接続部を形成するもう１つの床用パネルを示している。
【図４】図３の床用パネルの、長手方向軸線に平行な概略断面図である。
【図５】建造物の壁に付けられるパネル支持ブラケットに取り付けられた床用パネルの一端部の拡大断面図である。
【図６】床用パネルを壁に取り付ける別の実施例を示す、図５と同様の図である。
【図７】床用パネルを壁に取り付ける更に別の実施例を示す、図５と同様の図である。
【図８】床用パネル支持ブラケットを壁に取り付けるための筒形ボルトの斜視図である。
【図９】建造物の室内側の耐力壁と２つの床用パネルとの間の結合を示す断面図である。
【図１０】図１に示した建造物の屋根の棟を通る断面図であり、棟における屋根用パネルと他の構造部材との間の結合を示している。
【図１１】本発明に従った屋根用パネルの、パネルの長手方向軸線に垂直な平面における概略断面図である。
【図１２】建造物の外壁と屋根用パネルとの間の結合を示す断面図である。
【図１３】壁に平行な平面における、パネル対壁の結合部を通る断面図である。
【図１４】屋根用パネルを壁に取り付けるためのパネルブラケットの斜視図である。
【図１５】建造物の外壁とベランダ屋根用パネルとの間の結合部を示す断面図である。
【図１６】ベランダの垂直支柱とベランダ屋根用パネルとの間の結合部を示す断面図である。
【図１７】建造物の角のところで筒形ボルトにより互いに接続される２つの壁フレーム部材を示す斜視図である。
【図１８】２つの壁フレーム部材間の結合部の斜視図である。
【図３】
2004521198.tif 000003
【図１１】
2004521198.tif 000004
【国際公開パンフレット】
2004521198.tif 000005
2004521198.tif 000006
2004521198.tif 000007
2004521198.tif 000008
2004521198.tif 000009
2004521198.tif 000010
2004521198.tif 000011
2004521198.tif 000012
2004521198.tif 000013
2004521198.tif 000014
2004521198.tif 000015
2004521198.tif 000016
2004521198.tif 000017
2004521198.tif 000018
2004521198.tif 000019
2004521198.tif 000020
2004521198.tif 000021
2004521198.tif 000022
2004521198.tif 000023
2004521198.tif 000024
2004521198.tif 000025
2004521198.tif 000026
2004521198.tif 000027
2004521198.tif 000028
2004521198.tif 000029
2004521198.tif 000030
2004521198.tif 000031
2004521198.tif 000032
2004521198.tif 000033
2004521198.tif 000034
2004521198.tif 000035
2004521198.tif 000036
2004521198.tif 000037
2004521198.tif 000038
2004521198.tif 000039
2004521198.tif 000040
2004521198.tif 000041
2004521198.tif 000042
2004521198.tif 000043
2004521198.tif 000044
【国際公開パンフレット（コレクトバージョン）】
2004521198.tif 000045
2004521198.tif 000046
2004521198.tif 000047
2004521198.tif 000048
2004521198.tif 000049
2004521198.tif 000050
2004521198.tif 000051
2004521198.tif 000052
2004521198.tif 000053
2004521198.tif 000054
2004521198.tif 000055
2004521198.tif 000056
2004521198.tif 000057
2004521198.tif 000058
2004521198.tif 000059
2004521198.tif 000060
2004521198.tif 000061
2004521198.tif 000062
2004521198.tif 000063
2004521198.tif 000064
2004521198.tif 000065
2004521198.tif 000066
2004521198.tif 000067
2004521198.tif 000068
2004521198.tif 000069
2004521198.tif 000070
2004521198.tif 000071
2004521198.tif 000072
2004521198.tif 000073
2004521198.tif 000074
2004521198.tif 000075
2004521198.tif 000076
2004521198.tif 000077
2004521198.tif 000078
2004521198.tif 000079
2004521198.tif 000080
2004521198.tif 000081
2004521198.tif 000082
2004521198.tif 000083
2004521198.tif 000084
【国際調査報告】
2004521198.tif 000085
2004521198.tif 000086